(57)【要約】 【課題】  犬、カラス等の動物による被害の問題も、設置スペースの問題も、景観の問題も、さらにはゴミ集積場へ搬出する曜日の問題もないゴミ箱を安価に提供する。【解決手段】ゴミ箱（１）を地下室（ＵＲ）と地上の所定高さ位置との間に移動可能に設ける。ゴミ箱（１）内に複数個のゴミ収集コンテナ（２１、２２）を出し入れ自在に設け、ゴミはゴミ箱（１）が地下室（ＵＲ）に収まっているときに種類毎に分別してゴミ投入シュート（１１、１２）からゴミ収集コンテナ（２１、２２）に投入する。ゴミが投入されたゴミ箱（１）を、水圧ピストンシリンダユニット（８、８、…）により地下室（ＵＲ）から地上の所定高さまで駆動して、ゴミ収集コンテナ（２１、２２）を取り出す。【選択図】  図１
2005324957.tif 000002
【特許請求の範囲】
【請求項１】
地下と、地上の所定高さ位置との間を移動可能に設けられ、地下に位置するときゴミが投入されるようになっているゴミ箱であって、
前記ゴミ箱は、地下から地上の所定高さ位置までは水圧ピストンシリンダユニットにより駆動されることを特徴とする地下収納型のゴミ箱。
【請求項２】
請求項１に記載のゴミ箱において、該ゴミ箱内にゴミ収集コンテナが出し入れ自在に設けられ、ゴミは前記収集コンテナに投入されるようになっている地下収納型のゴミ箱。
【請求項３】
請求項２に記載のゴミ箱において、該ゴミ箱内に複数個のゴミ収集コンテナが出し入れ自在に設けられ、ゴミは種類毎に分別されて前記収集コンテナに投入されるようになっている地下収納型のゴミ箱。
【請求項４】
請求項２または３に記載のゴミ箱において、ゴミ箱は、ゴミ収集コンテナに投入されるゴミをならすあるいは圧縮する、水圧ピストンシリンダユニットからなる補助手段を備えている地下収納型のゴミ箱。
【請求項５】
請求項１〜４のいずれかの項に記載のゴミ箱において、該ゴミ箱の天板には所定高さまで立ち上がっているロック蓋付きのゴミ投入シュートが設けられている地下収納型のゴミ箱。
【請求項６】
請求項１〜５のいずれかの項に記載のゴミ箱において、該ゴミ箱の底板には回転自在のフリーローラコンベヤあるいはフリーボールコンベヤが設けられていると共に、側壁は開口あるいは開閉自在な側板が設けられている地下収納型のゴミ箱。
【請求項７】
請求項１〜６のいずれかの項に記載のゴミ箱において、該ゴミ箱が地下にあるときは、その上は車道あるいは歩道として利用可能になっている地下収納型のゴミ箱。
【発明の詳細な説明】
【技術分野】
【０００１】
本発明は、地下と、地上の所定高さ位置との間を移動可能に設けられ、地下に位置するときゴミが投入されるようになっている地下収納型のゴミ箱に関するもので、特に限定するものではないが家庭、公共施設等から排出される比較的少量のゴミ箱として好適な地下収納型のゴミ箱に関するものである。
【背景技術】
【０００２】
公園、集会所等の公共施設には、周知のように、ゴミ箱が設置されている。このようなゴミ箱に投入されるゴミは、直接あるいはゴミ袋に収納されてゴミ収集車により焼却場あるいは埋立地まで輸送されて処理されている。また、家庭等から排出される比較的小さなゴミは、ゴミ袋あるいはポリ容器に入れられて所定の集積箇所に集められ、そして所定日にゴミ収集車により焼却場等の処理場まで輸送されている。
【０００３】
【特許文献１】特開２０００−２５９０２
【特許文献２】特開２０００−２７２７０６
【特許文献３】特開２００３−３２７３０２
【特許文献４】特開２００２−３７４０２
【特許文献５】特開２００２−４６８０７
【０００４】
ゴミは、上記のようにして集められ、そして搬送処理されているが、色々な問題もある。そこで、従来から種々のゴミ箱が提案されている。例えば、特許文献１によりゴミを圧縮する圧縮機能付きのゴミ箱が提案されている。また、ゴミはポリ容器、ゴミ袋等に入れられて集積箇所へ搬出されることが多いが、集積箇所において犬、猫、鳥等の動物によるゴミの散乱被害も出ている。このような被害を防ぐために、特許文献２により開閉蓋付きのゴミ収集箱装置も提案されている。さらには、動物により被害を防ぐと共に、風による散乱を防止するための、網状の覆具も例えば特許文献３、４により提案されている。また、特許文献５により、ゴミ収集ボックスが提案されている。このゴミ収集ボックスは、ゴミ箱本体と、この本体の底部に設けられているゴミ受板と、このゴミ受板を上下方向に駆動する可逆モータとからなっている。そして、情報処理センタからの信号を受信すると、可逆モータが回転してゴミ受板が上方の所定位置まで駆動され、ゴミ受板上のゴミがゴミ収集車に排出されるようになっている。
【発明の開示】
【発明が解決しようとする課題】
【０００５】
特許文献１〜４によると、例え家庭から排出される生ゴミをゴミ集積場に出しても、動物の被害を受けることはなく、それなりの効果は認められる。しかしながら、ゴミはポリ容器あるいはゴミ袋に入れられてはいるが、ゴミ集積場に積み重ねられるので、集積場近傍の景観を損なっている。また、付近に臭気を発する問題もある。このような理由により、町内におけるゴミ集積場の選定は困難を極め、近所において順番制にしているのが現状である。また、景観を損ない、臭気を発するので、ゴミ収集車と合わせてゴミ集積場へ搬出する曜日および時間が指定されていることもあり、不便でもある。特許文献５により提案されているゴミ収集ボックスによると、ゴミはボックス内に収納されるので、臭気の問題はある程度軽減されている。また、情報処理センタからの信号により、ゴミ受板上のゴミをゴミ収集車に積み込むことができる利点も認められる。しかしながら、設置スペースを格別に必要とする問題は解決されていないし、またゴミ収集ボックスにより環境の景観を損ねていることに変わりはない。
本発明は、上記したような従来の実情に鑑みてなされたもので、動物による被害の問題も、設置スペースの問題も、景観の問題も、さらにはゴミ集積場へ搬出する曜日の問題もない、ゴミ箱を安価に提供することを目的としている。また、ゴミ収集後の搬出の容易なゴミ箱を提供することも目的としている。
【課題を解決するための手段】
【０００６】
本発明は、上記目的を達成するために、ゴミ箱は地下収納型に構成される。そして、ゴミは地下に収納されているときに、地上から投入されるようになっている。また、本発明は前記目的を達成するために、地下から地上の所定高さ位置まで、水圧ピストンシリンダユニットにより駆動されるように構成される。
かくして、請求項１に記載の発明は、上記目的を達成するために、地下と、地上の所定高さ位置との間を移動可能に設けられ、地下に位置するときゴミが投入されるようになっているゴミ箱であって、前記ゴミ箱は、地下から地上の所定高さ位置までは水圧ピストンシリンダユニットにより駆動されるように構成される。
請求項２に記載の発明は、請求項１に記載のゴミ箱において、該ゴミ箱内にゴミ収集コンテナが出し入れ自在に設けられ、ゴミは前記収集コンテナに投入されるように、請求項３に記載の発明は、請求項２に記載のゴミ箱において、該ゴミ箱内に複数個のゴミ収集コンテナが出し入れ自在に設けられ、ゴミは種類毎に分別されて前記収集コンテナに投入されるように、請求項４に記載の発明は、請求項２または３に記載のゴミ箱において、ゴミ箱は、ゴミ収集コンテナに投入されるゴミをならすあるいは圧縮する、水圧ピストンシリンダユニットからなる補助手段を備えるように、請求項５に記載の発明は、請求項１〜４のいずれかの項に記載のゴミ箱において、該ゴミ箱の天板には所定高さまで立ち上がっているロック蓋付きのゴミ投入シュートが設けられるように、請求項６に記載の発明は、請求項１〜５のいずれかの項に記載のゴミ箱において、該ゴミ箱の底板には回転自在のフリーローラコンベヤあるいはフリーボールコンベヤが設けられていると共に、側壁は開口あるいは開閉自在な側板が設けられるように、そして請求項７に記載の発明は、請求項１〜６のいずれかの項に記載のゴミ箱において、該ゴミ箱が地下にあるときは、その上は車道あるいは歩道として利用可能に構成される。
【発明の効果】
【０００７】
以上のように、本発明によると、ゴミ箱は地下収納型に構成されるので、一旦ゴミ箱に投入すると、犬、鳥等の動物により被害を受けることはなくなる。また、地下に収納されるようになっているので、設置スペースの問題もなく、地上の景観を損なうようなこともない。さらには、ゴミは地下のゴミ箱に収納されるので、搬出する曜日、時間等に制約されることなく、何時でもゴミ箱に投入できる。また、臭気の問題もある程度解決される。そして、本発明によると、ゴミ箱は水圧ピストンシリンダユニットにより地上の所定高さまで駆動されるので、ゴミ箱に投入されたゴミを容易に外部へ排出して、あるいはゴミ搬送車に直接排出して焼却場等の所定箇所へ搬送することができる。このとき、駆動装置が水圧ピストンシリンダユニットから構成されているので、水道水あるいは給水タンク、雨水タンク等のタンク中の水を供給するだけでゴミ箱を地上へ駆動できる。したがって、製造コストと共に、ランニングコストも低いゴミ箱を提供できる。
【０００８】
そして、請求項２に記載の発明によると、ゴミ箱内にゴミ収集コンテナが出し入れ自在に設けられ、ゴミは前記収集コンテナに投入されるようになっているので、また請求項３に記載の発明によると、複数個のゴミ収集コンテナが出し入れ自在に設けられ、ゴミは種類毎に分別されて前記収集コンテナに投入されるようになっているで、ゴミ焼却炉、埋立地等への搬送時の取り扱いが容易で、またリサイクル処理も簡単になる効果がさらに得られる。
請求項４に記載の発明によると、ゴミ箱はゴミ収集コンテナに投入されるゴミをならすあるいは圧縮する、水圧ピストンシリンダユニットからなる補助手段を備えているので、かさばるゴミも圧縮して大量にゴミ収集コンテナに積み込むことができる。請求項５に記載の発明によると、ゴミ箱の天板には所定高さまで立ち上がっているロック蓋付きのゴミ投入シュートが設けられるので、ゴミ投入シュートだけを地上に出すことができ、またロック蓋にパッキン等を付け臭気の漏れを防ぎ、虫の侵入を防ぐ効果がさらに得られる。請求項６に記載の発明によると、ゴミ箱の底板には回転自在のフリーローラコンベヤあるいはフリーボールコンベヤが設けられていると共に、側壁は開口あるいは開閉自在な側板が設けらているので、ゴミ収集コンテナのゴミ箱への出し入れが容易になる。請求項７に記載の発明によると、ゴミ箱が設置されていても、美観を損なうことなく、その上を車道あるいは歩道として利用可能になる。
【発明を実施するための最良の形態】
【０００９】
以下、図１、２により、本発明の実施の形態を説明する。図１の（イ）は、ゴミ箱１を地下室ＵＲに降ろした状態を示す斜視図であるが、同図に示されているように本実施の形態に係わるゴミ箱１は、開閉自在な図示されていない前板と両側板３、３と背板４と天板５とから立方体を呈するように略密閉構造に構成されている。このように立方体を呈するゴミ箱１には、複数本の水圧ピストンシリンダユニット８、８、…が取り付けられている。すなわち、図示の実施の形態では４本の水圧ピストンシリンダユニット８、８、…のそれぞれのロッドが、側板３、３のブラケット６に取り付けられ、シリンダ８、８、…の底部は地下室ＵＲの床Ｆに固定されている。したがって、水道水をこれらの４個の水圧ピストンシリンダユニット８、８、…のピストンヘッド側に同期して供給すると、ゴミ箱１全体が地下室ＵＲから地上の所定高さまで駆動されることになる。
【００１０】
このように構成されている天板５には、ゴミ箱１が地下室ＵＲに収納されるときにも地上の所定高さまで立ち上がっている複数個例えば２個のゴミ投入シュート１１、１２が設けられている。そして、本実施の形態では、一方の第１のゴミ投入シュート１１はビン、空き缶等の不燃物の投入用に選定され、他方の第２のゴミ投入シュート１２は紙、新聞紙等の可燃物の投入用に選定されている。ゴミ箱１が設置されている近傍には、開閉バルブが収納されているロック蓋１４付きのバルブボックス１５が設けられている。そして、水圧ピストンシリンダユニット８、８、…と図示されない水道栓は、バルブボックス１５を介して、図１には示されていないが、可撓性のホースで接続されている。したがって、バルブボックス１５のロック蓋１４を開いて開閉バルブを操作すると、水道水が水圧ピストンシリンダユニット８、８、…に給排され、ゴミ箱１は地下室ＵＲと地上の所定高さ位置との間を駆動されることになる。なお、上記のように構成されているゴミ箱１の両側板３、３、背板４、天板５等は、例えば不錆鋼等の鋼材、鋼板等から十分な強度を有するように製作されているので、地下室ＵＲに収納されているときは、その天板５上を歩道あるいは車道として利用できる。また、ゴミ箱１の底板９には、複数個のローラあるいはボールからなる複数列のフリーコンベヤ１０、１０、…が設けられている。
【００１１】
本実施の形態に係わるゴミ箱１は、上記のように構成されているので、次のようにして使用することもできる。すなわち、バルブボックス１５のロック蓋１４を開いて開閉バルブを開くと、ゴミ箱１は自重により地下室ＵＲに収まる。この収まった状態が図１の（イ）に示されている。このように、ゴミ箱１は地下室ＵＲに収まるので、付近の美観を損なうようなことはない。ゴミ箱１の上は歩道、車道として利用される。日時に制限されることなく、必要に応じてゴミ投入シュート１１、１２の図示されない蓋を開けて、ゴミ箱１が満杯になるまで適宜ゴミを投入する。このとき、ゴミ箱１は地下に収納されているので、ゴミが犬、カラス等の動物に荒らされることも、風に吹き飛ばされることもない。また、ゴミ箱１は密閉構造になっており、第１、２のゴミ投入シュート１１、１２にも蓋が取り付けられているので、昆虫等の小動物が侵入することもない、さらには投入されたゴミから悪臭が漂うことも少ない。
【００１２】
所定量のゴミが投入されたら、バルブボックス１５のロック蓋１４を開いて開閉バルブを操作して、水圧ピストンシリンダユニット８、８、…に水道水を同時に供給する。そうすると、ゴミ箱１は、水圧ピストンシリンダユニット８、８、…により地上の所定高さまで駆動される。前板を開いて、投入されているゴミを取り出して袋詰め処理、ゴミ収集車への積み込み等の処理をする。ゴミの排出が終わったら、前述したようにしてゴミ箱１を地下室ＵＲに収納する。
【００１３】
本実施の形態に係わるゴミ箱１は、上記のようにしても使用できるが、ゴミ収集コンテナと共に使用することもできる。このようなゴミ収集コンテナの実施の形態が図１の（ロ）に示されている。図示の実施の形態によるゴミ収集コンテナは、不燃物用の第１のゴミ収集コンテナ２１と可燃物用の第２のゴミ収集コンテナ２２の２個からなり、これらのコンテナ２１、２２は投入されるゴミを圧縮する圧縮機能を備えている。さらに詳しく説明すると、第１、２のゴミ収集コンテナ２１、２２は、前後壁２３、２４と側壁２５、２６と底壁とから略立方体を呈するように構成され、その大きさは同時にゴミ箱１に収納できる大きさに選定されいる。外側に位置する側壁２５は、下方の固定壁２７と、その上方に蝶番２８、２８により揺動自在に取り付けられている揺動壁２９とからなっている。したがって、揺動壁２９を矢印方向に駆動すると、第１、２のゴミ収集コンテナ２１、２２に収容されるゴミは圧縮される。
【００１４】
本実施の形態によると、揺動壁２９はゴミ圧縮用の水圧ピストンシリンダユニットで駆動されるようになっているが、その水圧ピストンシリンダユニットはゴミ箱１の背板４、天板５等の適当な部材に取り付けられ、そのピストンロッドの往復動運動は、例えばリンク機構、クランク機構等の運動変換機構を介して揺動運動に変換されるようになっている。そして、第１、２のゴミ収集コンテナ２１、２２をゴミ箱１内の所定位置に収容すると、運動変換機構の終端の部材が揺動壁２９のピン３０に係合・接続されるようになっている。しかしながら、図１には、これらの具体的な構造あるいは構成は示されていない。
【００１５】
次に、その作用について説明する。図２に示されているように、ゴミ箱１が地上に駆動されているときに、ゴミ箱１に前板が設けられているときは、この前板を開いて、不燃物用の第１のゴミ収集コンテナ２１を図１において左側に、可燃物用の第２のゴミ収集コンテナ２２を右側に位置するようにして、ゴミ箱１内に収納する。そうすると、第１のゴミ投入シュート１１は第１のゴミ収集コンテナ２１に、第１のゴミ投入シュート１２は第２のゴミ収集コンテナ２２に整合するようになる。また、ゴミ圧縮用の水圧ピストンシリンダユニットは、運動変換機構を介して揺動壁２９のピン３０に係合する。
【００１６】
バルブボックス１５のロック蓋１４を開いて開閉バルブを開く。そうすると、ゴミ箱１は自重により地下室ＵＲに収まる。使用者は、ゴミの種類に応じて、所定のゴミ投入シュート１１、１２の図示されない蓋を開けて、適宜投入する。このとき、ゴミを所定量投入したら、あるいはゴミ箱１を地下室ＵＲに収納してから所定日数が経過したら、バルブボックス１５のロック蓋１４を開いて開閉バルブを操作してゴミ圧縮用の水圧ピストンシリンダユニットに水道水を供給する。そうすると、第１、２のゴミ収集コンテナ２１、２２の揺動壁２９が揺動的に駆動され、投入されたゴミは圧縮される。所定量のゴミが投入されたら、バルブボックス１５のロック蓋１４を開いて開閉バルブを操作して、水圧ピストンシリンダユニット８、８、…に水道水を供給する。そうすると、ゴミ箱１は、水圧ピストンシリンダユニット８、８，…のピストンロッドの伸長により地上の所定高さ、例えば図２に示されている自動車Ｖの車高の高さまで駆動される。前板が設けられているときはこれを開いて、収容されている第１、２のゴミ収集コンテナ２１、２２をフリーコンベヤ１０、１０上を滑らせて自動車Ｖの荷台に乗せ、所定箇所へ運搬する。別途用意されている第１、２のゴミ収集コンテナを前述したようにゴミ箱１に収納して、地下室ＵＲに収納する。以下同様にして、ゴミを投入、搬送する。
【００１７】
本実施の形態によっても、前述したような効果が得られるが、本実施の形態によると、第１、２のゴミ収集コンテナ２１、２２が適用されているので、ゴミを分別投入することができる。さらには、第１、２のゴミ収集コンテナ２１、２２をそのままゴミ収集車以外の安価な車両で運ぶことができる効果も得られる。
【００１８】
本発明は、上記実施の形態に限定されることなく色々変形が可能である。例えば、前記実施の形態では天板５は歩道、車道等を兼ねているので、天板の上面をタイル、コンクリート等で修飾することもできる。また、天板５を覆うようにして別部材を設けて歩道あるいは車道とすることができる。さらには、ゴミ箱１を所定位置まで上昇させたときには、その位置を保持するロック機構を設けることもできる。また、ゴミ箱１に圧縮機構の他に、投入されるゴミをならす棒を設け、この棒を水圧ピストンシリンダユニットで駆動するように構成することができることは明らかである。また、第１、２のゴミ収集コンテナ２１、２２の代わりにビニール袋を使用することもできる。ビニール袋もゴミ収集コンテナの一種であることは明らかである。さらには、水圧ピストンシリンダユニット８、８、…には水道水を給排する旨説明したが、高所に設置されている雨水タンク、給水タンク等のタンクの水も同様に利用できることは明らかである。したがって、水道水と言うときは、これらの水も含まれることになる。
【図面の簡単な説明】
【００１９】
【図１】本発明の実施の形態を模式的に示す図で、その（イ）はゴミ箱が地下室に収まった状態を示す斜視図、その（ロ）は第１、２のゴミ収集コンテナの実施の形態を示す斜視図である。
【図２】本発明の実施の形態に係わるゴミ箱が地上の所定高さ（自動車の車高）まで駆動された状態を示す斜視図である。
【符号の説明】
【００２０】
１    ゴミ箱                ８    水圧ピストンシリンダユニット
１１、１２    ゴミ投入シュート    １５    バルブボックス
２１、２２    ゴミ収集コンテナ    ２９    揺動壁    
【図１】
2005324957.tif 000003
【図２】
2005324957.tif 000004
【手続補正書】
【提出日】平成16年5月20日(2004.5.20)
【手続補正１】
【補正対象書類名】図面
【補正対象項目名】全図
【補正方法】変更
【補正の内容】
【図１】
2005324957.tif 000005
【図２】
2005324957.tif 000006